(57)【要約】【課題】識別タグおよびセキュリティタグに対する検査が容易なカートリッジケースを提供する。【解決手段】浅皿状にそれぞれ形成された下ケース１１および上ケース１２が嵌合されて略扁平立方体に形成されたケース本体２と、ケース本体２内に回転可能に収容された単一のテープリール３と、ケース本体２内に配設された識別タグ８と、ケース本体２内に配設されたセキュリティタグ９とを備え、識別タグ８およびセキュリティタグ９が、ケース本体２の四隅のうちの一隅Ｃ１にそれぞれ配設されている。【選択図】図１
2007226868.tif 000002
【特許請求の範囲】
【請求項１】
浅皿状にそれぞれ形成された下ケースおよび上ケースが嵌合されて略扁平立方体に形成されたケース本体と、
当該ケース本体内に回転可能に収容された単一のテープリールと、
前記ケース本体内に配設された識別タグと、
前記ケース本体内に配設されたセキュリティタグとを備え、
前記識別タグおよび前記セキュリティタグが、前記ケース本体の四隅のうちの一隅にそれぞれ配設されているカートリッジケース。
【請求項２】
請求項１記載のカートリッジケースを備えている情報記録媒体。
【発明の詳細な説明】
【技術分野】
【０００１】
本発明は、略扁平立方体のケース本体、単一のテープリール、識別タグおよびセキュリティタグを備えたカートリッジケース、およびそのカートリッジケースを備えた情報記録媒体に関するものである。
【背景技術】
【０００２】
この種の情報記録媒体として、特許第３６０５１０６号公報に開示されたテープカートリッジが知られている。このテープカートリッジは、サーバ又はワークステーション用テープドライブ装置に装着可能な扁平立方体のテープカートリッジであって、フィルム状のセキュリティタグおよびテープ識別タグ（識別タグともいう）を備えている。このテープカートリッジでは、セキュリティタグが、扁平立方体のテープカートリッジの四隅のうちの１隅に配置されて、識別タグがセキュリティタグの配置された隅の対角の隅に配置されている。
【０００３】
この場合、識別タグは、メモリを備え、テープカートリッジの製造情報（識別情報）および使用履歴情報などの管理情報が記憶可能に構成されている。一方、セキュリティタグは、特定周波数の電波を受信するダイポールアンテナ、ダイポールアンテナで受信された電波の周波数を逓倍するダイオード、およびダイポールアンテナと給電部を共有しダイオードによって逓倍された周波数の電波を送信するループアンテナを備え、このセキュリティタグが内蔵されたテープカートリッジが予め定められた検査領域内に置かれたときにこの検査領域内にあることを外部に通知可能に構成されている。
【０００４】
このテープカートリッジによれば、セキュリティタグを内蔵することにより所定のセキュリティエリアからの搬出を監視することが可能となる。また、セキュリティタグについては、識別タグが配置される隅の対角の隅に配置されているため、電磁的識別情報を発生する識別タグから最も遠い位置、つまり最適な位置に配置させることができる。
【特許文献１】特許第３６０５１０６号公報（第３−４頁、第３図）
【発明の開示】
【発明が解決しようとする課題】
【０００５】
ところが、従来のテープカートリッジには、以下の問題点がある。すなわち、この種のテープカートリッジに対しては、組立完了後の検査工程において、内蔵されているセキュリティタグおよび識別タグに対する検査を実施しているが、組立の完了したテープカートリッジは、近接して並べられた状態で搬送されたり、また収納されたりしている。このため、検査対象となる１つのテープカートリッジ内のセキュリティタグおよび識別タグに対する検査を確実に実施するために、近接する他のテープカートリッジ内のセキュリティタグおよび識別タグが作動しないような検査用電波（微弱な電波）を局所的に発生させて検査対象のテープカートリッジに送信している。
【０００６】
しかしながら、従来のテープカートリッジでは、セキュリティタグおよび識別タグが異なる隅（対角の位置にある各隅）に配設されているため、微弱な検査用電波をセキュリティタグの配設されている一隅と識別タグの配設されている他の一隅のそれぞれに送信する必要があり、テープカートリッジの向きを変えたりしてセキュリティタグに対する検査と識別タグに対する検査とを別個独立して２度に分けて行う必要がある結果、その検査が煩雑であるという問題点が存在している。
【０００７】
その一方で、従来、セキュリティタグと識別タグとを近接して配置したときに問題となっていた電磁的干渉については、近年では、双方の改良によって大幅に改善されてきており、近接して配設したとしても問題のない状況になっている。
【０００８】
本発明は、かかる問題点に鑑みてなされたものであり、識別タグおよびセキュリティタグに対する検査が容易なカートリッジケースおよび情報記録媒体を提供することを主目的とする。
【課題を解決するための手段】
【０００９】
上記目的を達成すべく本発明に係るカートリッジケースは、浅皿状にそれぞれ形成された下ケースおよび上ケースが嵌合されて略扁平立方体に形成されたケース本体と、当該ケース本体内に回転可能に収容された単一のテープリールと、前記ケース本体内に配設された識別タグと、前記ケース本体内に配設されたセキュリティタグとを備え、前記識別タグおよび前記セキュリティタグが、前記ケース本体の四隅のうちの一隅にそれぞれ配設されている。
【００１０】
また、本発明に係る情報記録媒体は、上記のカートリッジケースを備えている。
【発明の効果】
【００１１】
本発明に係るカートリッジケースおよび情報記録媒体によれば、識別タグおよびセキュリティタグをケース本体の四隅のうちの一隅にそれぞれ配設したことにより、識別タグおよびセキュリティタグが配設された一隅（カートリッジケースにおける１つの箇所）に向けて検査用電波を送信するだけで識別タグおよびセキュリティタグに対する検査を１回で実施できるため、各タグの検査を容易に行うことができる。
【発明を実施するための最良の形態】
【００１２】
以下、本発明に係るカートリッジケースおよび情報記録媒体の最良の形態について、添付図面を参照して説明する。
【００１３】
最初に、テープカートリッジ１（本発明に係る情報記録媒体の一例）の構成について、図面を参照して説明する。
【００１４】
図１に示すテープカートリッジ１は、例えば、電子計算機に記録された記録データをバックアップするためのストレージデバイスとして使用されるＬＴＯ（Linear Tape Open）規格に準拠した１リール（単位一リール）タイプのカートリッジ式の情報記録媒体であって、同図に示すように、ケース本体２、テープリール３、ブレーキ解除板４、ロック部材５、スプリング６、ドア部材７、識別タグ８、セキュリティタグ９および誤消去防止用プラグ１０を備えて構成され、テープリール３には、図外の磁気テープが巻回される。この場合、磁気テープを除く各構成要素によって本発明に係るカートリッジケースが構成される。
【００１５】
ケース本体２は、図１に示すように、それぞれ平面視正方形の浅皿状に形成されて互いに嵌合可能な下ケース１１および上ケース１２を備えて略扁平立方体に形成され、両ケース１１，１２の嵌合状態において形成される内部空間にテープリール３を回転可能に収容する。
【００１６】
この場合、下ケース１１は、図１，２に示すように、底板１１ａ、および４つの側壁１１ｂ，１１ｃ，１１ｄ，１１ｅを備えている。また、１つの側壁１１ｂには、テープリール３に巻回された磁気テープを外部に引き出すためのテープ引き出し口２ａを構成する切り欠き１１ｆが形成されている。また、底板１１ａの四隅のうちの切り欠き１１ｆの近傍の隅を除く他の３つの隅には、３つの弧状の壁部（以下、「弧状壁」ともいう）１１ｇ，１１ｈ，１１ｉが立設されている。弧状壁１１ｇ，１１ｈ，１１ｉの各々の両端は、それぞれに近接する２つの側壁１１ｂ，１１ｃ、側壁１１ｃ，１１ｄ、側壁１１ｄ，１１ｅにそれぞれ連結されている。これにより、下ケース１１の四隅のうちの切り欠き１１ｆの近傍の隅を除く他の３つの隅には、２つの側壁と１つの弧状壁とで囲まれた平面視形状がほぼ三角形の区画領域Ａ１，Ａ２，Ａ３がそれぞれ形成されている。また、各側壁１１ｂ，１１ｃ，１１ｄ，１１ｅおよび各弧状壁１１ｇ，１１ｈ，１１ｉで囲まれた下ケース１１の中央領域Ａ４には、テープリール３が収納される。
【００１７】
一方、図１，３，４に示すように、上ケース１２は、天板１２ａ、および４つの側壁１２ｂ，１２ｃ，１２ｄ，１２ｅを備えている。また、１つの側壁１２ｂには、テープ引き出し口２ａを構成する切り欠き１２ｆが形成されている。また、天板１２ａの四隅のうちの切り欠き１２ｆの近傍の隅を除く他の３つの隅には、３つの弧状の壁部（以下、「弧状壁」ともいう）１２ｇ，１２ｈ，１２ｉが立設されている。弧状壁１２ｇ，１２ｈ，１２ｉの各々の両端は、それぞれに近接する２つの側壁１２ｂ，１２ｃ、側壁１２ｃ，１２ｄ、側壁１２ｄ，１２ｅにそれぞれ連結されている。これにより、上ケース１２の四隅のうちの切り欠き１２ｆの近傍の隅を除く他の３つの隅には、下ケース１１と同様にして、２つの側壁と１つの弧状壁とで囲まれた平面視形状がほぼ三角形の区画領域Ｂ１，Ｂ２，Ｂ３がそれぞれ形成されている。また、各側壁１２ｂ，１２ｃ，１２ｄ，１２ｅおよび各弧状壁１２ｇ，１２ｈ，１２ｉで囲まれた上ケース１２の中央領域Ｂ４には、テープリール３が収納される。
【００１８】
また、下ケース１１の側壁１１ｃと上ケース１２の側壁１２ｃとは、ケース本体２の後面壁（テープカートリッジ１の挿入方向における後方側の壁面）を構成し、それぞれの表面はラベル（インデックスラベル）貼付面として機能する。
【００１９】
テープリール３は、図１に示すように、ハブ２１、下フランジ２２、上フランジ２３および金属板２４を備えて構成されている。ハブ２１は、上端部側が開口し、下端部側が閉塞する有底円筒状に形成されている。下フランジ２２はハブ２１の下端部に取り付けられ、上フランジ２３はハブ２１の上端部に取り付けられている。金属板２４は、円板状に形成されて、ハブ２１の下端面に取り付けられている。以上のように構成されたテープリール３は、両フランジ２２，２３で挟まれたハブ２１の外周面に磁気テープを巻回可能に構成されている。
【００２０】
スプリング６は、図１に示すように、コイルスプリングで構成されると共に、上ケース１２とロック部材５との間に配設されて、テープリール３側に向けてロック部材５を付勢する。ドア部材７は、同図に示すように、テープ引き出し口２ａを閉塞可能な薄板状に形成されて、下ケース１１の側壁１１ｂおよび上ケース１２の側壁１２ｂにそれぞれ形成された案内溝（図示せず）にスライド可能に収納される。
【００２１】
識別タグ８は、メモリ、メモリ制御回路、通信回路およびアンテナ（いずれも図示せず）とを備えている。この場合、アンテナは特定周波数（第１周波数）の電波を送受信可能に構成され、通信回路はアンテナを介して受信した情報をメモり制御回路に出力すると共に、メモリ制御回路から入力した情報をアンテナを介して送信可能に構成されている。メモリ制御回路は、通信回路から入力した情報をメモリに記憶させると共に、メモリから読み出した情報を通信回路に出力する。このように構成された識別タグ８は、テープカートリッジ１の製造情報（識別情報）、使用履歴情報、および磁気テープ上のパーテーション情報などを管理情報として記憶する。この識別タグ８は、図１，２に示すように、下ケース１１の区画領域Ａ１内に配設されている（取り付けられている）。
【００２２】
セキュリティタグ９は、一例として、図４に示すように、弾性フィルム体９ａ、裏板９ｂおよびダイオード９ｃを備えている。この場合、弾性フィルム体９ａには、例えば、銅箔および弾性細線などを用いて、特定周波数（第１周波数とは異なる第２周波数)の電波を受信するダイポールアンテナ、ダイポールアンテナと給電部を共有しダイオード９ｃによって逓倍された周波数の電波を送信するループアンテナ（いずれも図示せず）が形成されている。ダイオード９ｃは、弾性フィルム体９ａに搭載されて、ダイポールアンテナで受信された電波の周波数を逓倍する。弾性フィルム体９ａおよび裏板９ｂは、図４に示すように、互いの一端同士が連結されている。このセキュリティタグ９は、同図に示すように、裏板９ｂに対して弾性フィルム体９ａを弾性変形させた状態で、上ケース１２の区画領域Ｂ１内に配設されている。この場合、セキュリティタグ９は、弾性フィルム体９ａの弾性力によって裏板９ｂが側壁１２ｂの内面に押しつけられることにより、区画領域Ｂ１内に取り付けられる。このようにして上ケース１２に取り付けられたセキュリティタグ９は、このセキュリティタグ９を内蔵するテープカートリッジ１が予め定められた検査領域内に置かれたときにこの検査領域内に存在することを外部に通知する機能を備えている。なお、セキュリティタグ９用の特定周波数（第２周波数）は、上記したように識別タグ８用の特定周波数（第１周波数）とは異なる周波数に設定されているため、相互間の電磁的干渉が発生しない状態に維持されている。
【００２３】
このようにして、識別タグ８が下ケース１１の区画領域Ａ１内に配設され、セキュリティタグ９が上ケース１２の区画領域Ｂ１内に配設されているため、下ケース１１と上ケース１２とを嵌合させて構成されたケース本体２、ひいてはこのテープカートリッジ１では、図５に示すように、平面視したときの四隅のうちの一つの隅（一隅）Ｃ１において、テープカートリッジ１の厚み（ケース本体２の厚みでもある）方向（同図中の上下方向）に沿って、識別タグ８とセキュリティタグ９とが近接して並んだ状態になっている。
【００２４】
誤消去防止用プラグ１０は、情報記録媒体１に記録されているデータの誤消去を防止するために用いられ、ケース本体２における下ケース１１の区画領域Ａ２と上ケース１２の区画領域Ｂ２とで構成される空間内に配設されている。また、誤消去防止用プラグ１０は、この空間内において、下ケース１１の側壁１１ｃおよび上ケース１２の側壁１２ｃに沿って、消去許容位置と消去禁止位置との間でスライド可能に構成されている。
【００２５】
また、以上のような構成のテープカートリッジ１に対しては、組立完了後の検査工程において、種々の検査が実施され、各検査を経たものが良品として出荷される。この場合、検査の一つとして、内蔵されている識別タグ８およびセキュリティタグ９に対する検査が実施される。この検査では、識別タグ８およびセキュリティタグ９が配設されたテープカートリッジ１の一隅Ｃ１に検査用電波（第１周波数の電波と第２周波数の電波）を同時に送信すると共に両タグ８，９によって送信される電波を受信して、各タグ８，９が正常に作動するか否かを１回で（同時に）検査する。
【００２６】
このように、このテープカートリッジ１によれば、識別タグ８およびセキュリティタグ９をケース本体２の四隅のうちの一隅Ｃ１（図１〜図５参照）にそれぞれ配設したことにより、識別タグ８およびセキュリティタグ９を近接した位置に配設することができる。したがって、上記したように、識別タグ８およびセキュリティタグ９が配設されたテープカートリッジ１の一隅Ｃ１に向けて各検査用電波を送信するだけで、識別タグ８およびセキュリティタグ９に対する検査を１回で実施できるため、各タグ８，９の検査を容易に行うことができる。また、識別タグ８およびセキュリティタグ９をケース本体２の一隅Ｃ１に配設したことにより、ケース本体２のこの一隅Ｃ１に形成されている空間（下ケース１１の区画領域Ａ１と上ケース１２の区画領域Ｂ１とで構成される空間）を利用して、テープリール３との干渉を確実に防止した状態で識別タグ８およびセキュリティタグ９を近接した位置に配設することができる。
【００２７】
なお、本発明は、上記の構成に限定されない。例えば、下ケース１１の区画領域Ａ１内に識別タグ８を配設すると共に、上ケース１２の区画領域Ｂ１内にセキュリティタグ９を配設する例を挙げて説明したが、各区画領域Ａ１，Ｂ１のいずれか一方に識別タグ８およびセキュリティタグ９の双方を配設する構成を採用することもできる。また、識別タグ８およびセキュリティタグ９をケース本体２の四隅のうちの各区画領域Ａ１，Ｂ１が形成されている一隅Ｃ１に配設した例について上記したが、図２，４に示すように、各区画領域Ａ２，Ｂ２が形成されている１つの隅Ｃ２に配設する構成や、各区画領域Ａ３，Ｂ３が形成されている１つの隅Ｃ３に配設する構成を採用することもできる。
【図面の簡単な説明】
【００２８】
【図１】テープカートリッジ１の分解斜視図である。
【図２】下ケース１１の平面図である。
【図３】上ケース１２の斜視図である。
【図４】上ケース１２およびセキュリティタグ９の平面図である。
【図５】テープカートリッジ１における識別タグ８およびセキュリティタグ９が配設された一隅の斜視図である。
【符号の説明】
【００２９】
１  テープカートリッジ
２  ケース本体
３  テープリール
８  識別タグ
９  セキュリティタグ
１１  下ケース
１２  上ケース
Ａ１，Ｂ１  区画領域
Ｃ１，Ｃ２，Ｃ３  一隅
【図１】
2007226868.tif 000003
【図２】
2007226868.tif 000004
【図３】
2007226868.tif 000005
【図４】
2007226868.tif 000006
【図５】
2007226868.tif 000007